(57)【特許請求の範囲】
【請求項１】
第１部材の取付面に係止具を突設するとともに、少なくとも連結面側が金属板から形成されている第２部材の該連結面に係止孔を形成し、前記係止具を係止孔に挿入して嵌合係止する二部材の面接合連結装置であって、前記係止具は取付面に取付ける基体から段差を設けてフック部を一体形成するとともに、該フック部の前記取付面側の幅方向中央部に先端へ連続開放した溝部を形成し、前記係止孔の孔縁部で前記フック部が係止する部位に、前記連結面を構成する金属板を段押しして内方へ突出した突出部を形成し、前記係止具のフック部の溝部内に前記突出部を嵌合することを特徴とする二部材の面接合連結装置。
【請求項２】
前記係止具は、前記基体に取付孔を形成するとともに、該取付孔を挟んで前記フック部と反対側の基体の端部に前記取付面側に突出した突起を形成したものであり、前記第１部材の取付面には前記係止具の取付孔に挿通したネジを螺合する螺孔又は下穴を形成するとともに、前記突起を嵌入する係合穴を形成してなる請求項１記載の二部材の面接合連結装置。
【請求項３】
前記第２部材の係止孔は、前記係止具の基体を遊挿し得る開口部と、該開口部に連続して前記フック部を受け入れるとともに、前記基体をスライドして密嵌する嵌合部とからなり、該嵌合部の奥端の孔縁部に、該嵌合部を臨む側に斜面を有する台形状の突出部を形成してなる請求項１又は２記載の二部材の面接合連結装置。
【請求項４】
前記第１部材の取付面と第２部材の連結面とが面接合した状態で、前記係止具と係止孔の係止状態を維持すべく、第１部材に対して第２部材の連結面に沿った方向の移動を規制する移動規制手段を備え、該移動規制手段は、前記第１部材に押え金具をネジで取付けると同時に、該押え金具を前記第２部材に係合して、当該第２部材の移動を規制し、前記係止孔から係止具が抜けるのを防止するものである請求項１〜３何れかに記載の二部材の面接合連結装置。
【発明の詳細な説明】
【技術分野】
【０００１】
本発明は、二部材の面接合連結装置に係わり、更に詳しくは例えばデスクの脚体間に幕板を取付けるために用いる二部材の面接合連結装置に関するものである。
【背景技術】
【０００２】
従来から両側部に配した脚体で天板を支持するとともに、背面に幕板を設けたデスクは各種提供されており、頭付き連結ピンとダルマ孔、あるいはフックと係止孔等の係合手段を用いて脚体に対して着脱可能に幕板を取付ける構造も公知である。
【０００３】
本出願人の先願に係る特許文献１には、机天板の脚体等の支持部材の外面に突出する大径頭部付連結体を、後幕板の側板に穿設したダルマ状係止溝孔に着脱自在に嵌合してなる机における後幕板の連結装置において、前記ダルマ状係止溝孔のうち、連結体における小径の首部のみが嵌合する小径孔部とこの下方の大径孔部との連設溝部を、後幕板の側板の幅の垂直線に対して傾斜状に形成する一方、前記連設溝部のうち小径孔部との接続部にはその幅寸法を前記小径の首部の直径より若干狭くした係止突起部を設け、前記後幕板の側板の内面側には、前記小径孔部の外周に、前記連結体における大径頭部の付け根部に当接するようにした段部を膨出形成した構造が開示されている。
【０００４】
また、同じく本出願人の先願に係る特許文献２には、脚体の後端面の上部に頭付き連結ピンをネジにて固定し、幕板の前面側の両側縁に前記頭付き連結ピンを受入れて係合するダルマ孔を形成し、前記頭付き連結ピンをダルマ孔係合するとともに、脚体の上端面の後端部にネジ止めした規制板で前記幕板の上端を押えてその上方移動を規制する連結構造が開示されている。
【０００５】
前述の特許文献１、２に記載の着脱可能な係合手段でも十分な強度とガタツキのない連結を行うことができる。しかし、どちらも円形の連結ピンの中心孔にネジを通し、脚体に螺着しているので、何度も幕板を着脱しているうちに、連結ピンが回転してネジが緩むことも想定される。
【特許文献１】特許第３３４９０１６号公報
【特許文献２】特開平１０−１５５５５３号公報
【発明の開示】
【発明が解決しようとする課題】
【０００６】
そこで、本発明が前述の状況に鑑み、解決しようとするところは、例えばデスクの脚体の後端面に幕板の側部前面を面接合状態で取付けるために用いることが可能であり、第１部材に対して第２部材を着脱可能に簡単に取付けることができるとともに、取付強度が高く、また連結状態において連結面に対して上下左右にガタツキが全くなく、しかも繰り返し着脱しても常に同じ状態で連結することができ、構造も簡単で安価に構成できる二部材の面接合連結装置を提供する点にある。
【課題を解決するための手段】
【０００７】
本発明は、前述の課題解決のために、第１部材の取付面に係止具を突設するとともに、少なくとも連結面側が金属板から形成されている第２部材の該連結面に係止孔を形成し、前記係止具を係止孔に挿入して嵌合係止する二部材の面接合連結装置であって、前記係止具は取付面に取付ける基体から段差を設けてフック部を一体形成するとともに、該フック部の前記取付面側の幅方向中央部に先端へ連続開放した溝部を形成し、前記係止孔の孔縁部で前記フック部が係止する部位に、前記連結面を構成する金属板を段押しして内方へ突出した突出部を形成し、前記係止具のフック部の溝部内に前記突出部を嵌合してなる二部材の面接合連結装置を構成した（請求項１）。
【０００８】
ここで、前記係止具は、前記基体に取付孔を形成するとともに、該取付孔を挟んで前記フック部と反対側の基体の端部に前記取付面側に突出した突起を形成したものであり、前記第１部材の取付面には前記係止具の取付孔に挿通したネジを螺合する螺孔又は下穴を形成するとともに、前記突起を嵌入する係合穴を形成してなることが好ましい（請求項２）。
【０００９】
また、前記第２部材の係止孔は、前記係止具の基体を遊挿し得る開口部と、該開口部に連続して前記フック部を受け入れるとともに、前記基体をスライドして密嵌する嵌合部とからなり、該嵌合部の奥端の孔縁部に、該嵌合部を臨む側に斜面を有する台形状の突出部を形成してなることがより好ましい（請求項３）。
【００１０】
そして、前記第１部材の取付面と第２部材の連結面とが面接合した状態で、前記係止具と係止孔の係止状態を維持すべく、第１部材に対して第２部材の連結面に沿った方向の移動を規制する移動規制手段を備え、該移動規制手段は、前記第１部材に押え金具をネジで取付けると同時に、該押え金具を前記第２部材に係合して、当該第２部材の移動を規制し、前記係止孔から係止具が抜けるのを防止するものであることも好ましい（請求項４）。
【発明の効果】
【００１１】
以上にしてなる請求項１に係る二部材の面接合連結装置は、第１部材の取付面に突設した係止具を、第２部材の連結面を構成する金属板に形成した係止孔に挿入して嵌合係止すると、係止具のフック部の溝部内に、係止孔の孔縁部に形成した突出部が嵌合するので、第１部材の取付面と第２部材の連結面とを面接合した状態で突出部の弾性も寄与してガタツキなく連結することができる。また、第２部材の連結面に形成した係止孔の孔縁部でフック部が係止する部位に、連結面を構成する金属板を段押しして内方へ突出した突出部を形成したので、当該係止孔の孔縁部の強度が増し、金属板の変形を防止することができる。また、係止具のフック部に形成した溝部は、両側の突縁がガイドとなって突出部を溝部内に確実に受け入れることができ、しかも連結状態で係止方向に直交する方向への第１部材の取付面と第２部材の連結面との移動も確実に規制することができるのである。
【００１２】
請求項２によれば、係止具の基体に形成した突起を、第１部材の取付面の係合穴に嵌入するとともに、取付孔に挿通したネジを取付面の螺孔又は下穴に螺合して取付けるので、該係止具の回転を確実に規制することができ、第２部材の係止孔に対して該係止具の係脱を繰り返しても該係止具のネジが緩むこともないのである。また、係止具のフック部の向きに対する位置決め精度も高くなるのである。
【００１３】
請求項３によれば、係止具を係止孔へ挿入して嵌合係止する作業が容易であり、また突出部が台形状を有して、その斜面が係止孔の嵌合部に臨んでいるので、該斜面がガイドとなって係止具の溝部に突出部を容易に嵌合させることができる。また、係止孔へ係止具が嵌合係止した状態では、係止具の基体が係止孔の嵌合部に密嵌するので、ガタツキのない確実な連結を実現できる。
【００１４】
請求項４によれば、前記第１部材に押え金具をネジで取付けると同時に、該押え金具を前記第２部材に係合して、第１部材に対して第２部材の連結面に沿った方向の移動を規制することにより、係止具と係止孔の係止状態を維持することができ、不意に係合が外れることがなく、第１部材の取付面と第２部材の連結面とが面接合した状態を確実に保持することができる。
【発明を実施するための最良の形態】
【００１５】
次に、添付図面に示した実施形態に基づき、本発明を更に詳細に説明する。図１は本発明に係る支持体に対するパネル体の連結装置を適用した組立式デスクの全体斜視図、図２〜図４はその概要、図５〜図１７はその詳細を示し、図１８〜図２６は本発明の詳細を示し、図中符号１はＬ形天板、２は矩形天板、３は端部脚体、４は中間部脚体、５はコーナー脚体、６は幕板、７は目隠しパネル、８は上キャビネットをそれぞれ示している。
【００１６】
本実施形態の組立式デスクは、図１に示すように、Ｌ形天板１と矩形天板２の端部側に、互に鏡像関係にある端部脚体３，３を配置するとともに、Ｌ形天板１と矩形天板２の連結部に中間部脚体４を配置し、更にＬ形天板１のコーナー部にコーナー脚体５を配置し、それらを互に後述の連結金具を介してビーム９，…で連結するとともに、前記端部脚体３とコーナー脚体５との間、コーナー脚体５と中間部脚体４との間、及び中間部脚体４ともう一つの端部脚体３との間で、その後端面間に幕板６，…を着脱可能に取付けている。更に、本実施形態の組立式デスクには、前記幕板６の背面側に目隠しパネル７を着脱可能に取付けることができるように構成している。そして、前記Ｌ形天板１の後縁とその幕板６との間にはダクト開口１０が形成されており、該Ｌ形天板１の下方で下端が固定された一対の支柱１１，１１が前記ダクト開口１０を通して立設され、両支柱１１，１１の上端部に上キャビネット８が支持されている。
【００１７】
前記端部脚体３とビーム９との連結はＴ字形金具１２を用いて行い（図５及び図６参照）、前記中間部脚体４とビーム９との連結は十字形金具１３を用いて行い（図７参照）、そしてコーナー脚体５との連結はコーナー脚体５に取付けた受け金具１４とビーム９の端部に連結した連結金具１５を互に所定角度で連結する（図８〜図１０参照）。
【００１８】
本実施形態に係る組立式デスクの基本構成は、二つの端部脚体３と、中間部脚体４及びコーナー脚体５をデスク形態に応じて適数用い、それに幕板６とビーム９、更に二つＴ字形金具１２と、十字形金具１３及び受け金具１４、連結金具１５をデスク形態に応じて適数用いる。それに加えてＬ形天板１や矩形天板２をデスク形態に応じて適数用いる。図１に示したデスク形態は、Ｌ形天板１と矩形天板２を連結した平面視Ｌ字形である。この例では、二つの端部脚体３，３と、各一つの中間部脚体４及びコーナー脚体５と、３枚の幕板６，…と、３本のビーム９，…と、二つＴ字形金具１２，１２と、一つの十字形金具１３及び一つの受け金具１４と二つの連結金具１５，１５を用いる。
【００１９】
そして、前記端部脚体３とコーナー脚体５を所定位置に立起保持し、前記ビーム９の一端にＴ字形金具１２を連結するとともに、他端に連結金具１５を連結し、Ｔ字形金具１２を端部脚体３の上端部の前後中間部に連結するとともに、連結金具１５を前記コーナー脚体５の上端部の前方寄りに取付けた受け金具１４に所定角度（９０°Ｌ形天板１であれば４５°）で連結する。また、前記中間部脚体４を前記コーナー脚体５から所定距離だけ離した位置に立起保持し、ビーム９の一端に十字形金具１３を連結するとともに、他端に連結金具１５を連結し、十字形金具１３を中間部脚体４の上端部の前後中間部に連結するとともに、連結金具１５を前記コーナー脚体５に取付けた前記受け金具１４に所定角度（９０°Ｌ形天板１であれば４５°）で連結する。それから、前記幕板６を前記端部脚体３とコーナー脚体５の後端面の上部に渡して上方から嵌合係止し、もう一辺側にも前記幕板６を前記コーナー脚体５と中間部脚体４の後端面の上部に渡して上方から嵌合係止する。この際、前記幕板６の上昇を抑制して係合状態を維持する。また、前記端部脚体３の上端部の前方寄り位置には、内側方に直角に向くように短連結板１６の一端部を取付け、前記中間部脚体４の上端部の前方寄り位置には、両端部が両側方に直角に向くように長連結板１７の中央部を取付けている。また、前記コーナー脚体５の上端部の後部寄り位置に固定板１８を取付けている。そして、前記端部脚体３、中間部脚体４及びコーナー脚体５の上に、前記Ｌ形天板１を載置し、下方から前記ビーム９，９、短連結板１６、長連結板１７及び固定板１８に挿通したネジ１９，…を該Ｌ形天板１の下面に形成した螺孔２０，…に螺合して取付けている。
【００２０】
そして、前記Ｌ形天板１の一側方に矩形天板２を延設するには、先ず前記中間部脚体４に連結した前記十字形金具１３にビーム９の一端を連結するとともに、該ビーム９の他端にＴ字形金具１２を連結し、前記中間部脚体４から所定距離だけ離して端部脚体３を立起するとともに、該端部脚体３の上端部の前後中間部に前記Ｔ字形金具１２を連結し、それから幕板６を該端部脚体３と前記中間部脚体４の後端面の上部に渡して上方から嵌合係止し、最後に前記矩形天板２を当該端部脚体３と中間部脚体４の上に載置し、下方から前記ビーム９、端部脚体３の上端部の前方寄り位置に内側方へ向けて取付けた短連結板１６と前記中間部脚体４の上端部の前方寄り位置に両側方へ向けて取付けた長連結板１７に挿通したネジ１９，…を該矩形天板２の下面に形成した螺孔２０，…に螺合して取付けている。
【００２１】
また、前記目隠しパネル７を前記幕板６の背面側に取付けるには、図１５に示すように、前記幕板６の両端部上端に設けた上端キャップ２１と両端部下端に設けた受片２２を利用し、前記目隠しパネル７の前面であって両側下部に縦方向に取付けた係止金具２３で保持する。具体的には、前記上端キャップ２１には前方下降した傾斜面２４を有し、前記受片２２には係合孔２５を有し、前記係止金具２３の下端の突片２６を前記受片２２の係合孔２５に上方から落とし込むと同時に、該係止金具２３の上端のフック片２７を前記上端キャップ２１の傾斜面２４で載支するとともに、フック片２７を傾斜面２４にネジ止めする。尚、前記フック片２７の傾斜角度は、前記上端キャップ２１の傾斜面２４と一致させている。
【００２２】
更に、上キャビネット８を設ける場合には、前記Ｌ形天板１と幕板６との間に形成された前記ダクト開口１０から上方へ立ち上げた一対の支柱１１，１１の上端部間に上キャビネット８を取付けるのである。ここで、前記上キャビネット８は、前記コーナー脚体５と中間部脚体４との間でＬ形天板１の後部の上位、あるいは端部脚体３と中間部脚体４との間で矩形天板２の後部の上位に設けることも可能である。
【００２３】
次に、デスクの全体形状について説明する。前記Ｌ形天板１は、平面視略Ｌ字形で、コーナー部の角度は９０°、１２０°、１３５°のものがあり、着座側のコーナー内角部には滑らかに湾曲した凹部２８を形成している。本実施形態では角度が９０°のものを示している。また、前記矩形天板２は平面視長方形であるが、両側縁の奥行幅が他の連設する天板の奥行幅と一致すれば、左右の側縁で奥行幅を変え、前縁を滑らかな曲線で結んだ形状であっても構わない。図２に示すように、前記Ｌ形天板１及び矩形天板２の前端縁には、後下方へ直線的に傾斜した斜縁２９を形成している。
【００２４】
前記端部脚体３と中間部脚体４は、図５〜図７に示すように略同一構造であり、上下方向に延びた偏平四角筒状の脚板部３０と、該脚板部３０の上端に取付ける上支持部材３１と、該脚板部３０の下端に取付ける下支持部材３２と、前記脚板部３０の前端面に取付ける化粧部材３３とから概略構成されている。前記端部脚体３と中間部脚体４の違いは、脚板部３０に設ける縦ダクト３４の凹溝を形成する位置だけであり、端部脚体３では内側面に縦ダクト３４を設け、中間部脚体４では両側面に縦ダクト３４，３４を設けている。尚、前記縦ダクト３４には、着脱可能にダクトカバー３５を装着している。
【００２５】
ここで、前記脚板部３０は板金加工で作製し、前記上支持部材３１と下支持部材３２はアルミダイキャストで作製し、前記化粧部材３３はアルミ押出し成形によって作製しているため、各部品に同色の塗装を施しているものの、製造方法の違いによって色艶が微妙に異なり、色彩的には統一性に乏しい。そこで、図２及び図４に示すように、前記端部脚体３と中間部脚体４には、大胆なカット面を形成し、視覚的な統一を図っている。
【００２６】
前記上支持部材３１は、奥行方向にわたって同一横幅を有し、前記脚板部３０へ連結する後部の固定部３６を除き、前部のアーム部３７は上面側が水平で且つ前方に向けて上下厚を漸減した概略形状を有している。そして、前記上支持部材３１のアーム部３７の下面側には、両側に約４５°の角度の側カット面３１Ａ，３１Ａを形成し、該側カット面３１Ａは前方に向けてカット幅を広くすることにより、下面３１Ｂの横幅を前方に向けて漸減させ、更に先端部に前記Ｌ形天板１及び矩形天板２の斜縁２９と略直線状になる斜め前上方に傾斜した前カット面３１Ｃを形成している。同様に、前記下支持部材３２は、奥行方向にわたって同一横幅を有し、前記脚板部３０へ連結する後部の固定部３８を除き、前部のアーム部３９は下面側が水平で且つ前方に向けて上下厚を漸減した概略形状を有している。そして、前記下支持部材３２のアーム部３９の上面側には、両側に約４５°の角度の側カット面３２Ａ，３２Ａを形成し、該側カット面３２Ａは前方に向けてカット幅を広くすることにより、上面３２Ｂの横幅を前方に向けて漸減させ、更に先端部に前記前カット面３１Ｃと逆に前下方傾斜した前カット面３２Ｃを形成している。ここで、支持強度を高くするために、前記上支持部材３１より下支持部材３２の方が相対的に上下厚さを厚くしているが、上支持部材３１との意匠的な統一を図るため、該下支持部材３２の下面側の両側部を段落ち状にカットして凹陥縁３２Ｄ，３２Ｄを形成している。また、前記化粧部材３３は、前面側の両側には約４５°の角度の側カット面３３Ａ，３３Ａを形成し、その中央部に円弧状に凹んだ円弧面３３Ｂを形成している。この化粧部材３３の円弧面３３Ｂの存在によって、前記端部脚体３及び中間部脚体４に前縁に陰影をつけることができ、正面視において脚体を細く見せることができる。
【００２７】
そして、前記化粧部材３３の上下端は、前記上支持部材３１のアーム部３７の後端部から湾曲して下方へ延びた立下部３７Ａと、前記下支持部材３２のアーム部３９の後端部から湾曲して上方へ延びた立上部３９Ａとに連続している。つまり、前記上支持部材３１の側カット面３１Ａ，３１Ａは、立下部３７Ａにも連続形成し、前記化粧部材３３の側カット面３３Ａ，３３Ａに連続するとともに、前記下面３１Ｂは平面から立下部３７Ａにかけて徐々に後方へ湾曲した円弧面に変化し、前記化粧部材３３の円弧面３３Ｂに連続している。また、前記下支持部材３２の側カット面３２Ａ，３２Ａは、立上部３９Ａにも連続形成し、前記化粧部材３３の側カット面３３Ａ，３３Ａに連続するとともに、前記上面３２Ｂは平面から立上部３９Ａにかけて徐々に後方へ湾曲した円弧面に変化し、前記化粧部材３３の円弧面３３Ｂに連続している。
【００２８】
ここで、前記上支持部材３１の固定部３６とアーム部３７の間には段落ち部３７Ｂを設け、該固定部３６を前記脚板部３０の上端部に固定した状態では、前記アーム部３７と脚板部３０の側面は面一になる。同様に、前記下支持部材３２の固定部３８とアーム部３９の間には段落ち部３９Ｂを設け、該固定部３８を前記脚板部３０の下端部に固定した状態では、前記アーム部３９と脚板部３０の側面は面一になる。そして、前記化粧部材３３と脚板部３０の間の接合線３３Ｃと、前記段落ち部３７Ｂ及び段落ち部３９Ｂが上下方向に直線上に位置する。それにより、上下に一本の線が通り、シャープな外観になる。
【００２９】
このように、前記上支持部材３１のアーム部３７と下支持部材３２のアーム部３９及び化粧部材３３の形状を前述のようにすることにより、側面視において、両アーム部３７，３９はスリムな先細として看取され、また前記化粧部材３３の横幅は側カット面３３Ａのみが見えるので非常に狭く看取される。また、正面視においても、両アーム部３７，３９はスリムな先細形状として看取され、前記化粧部材３３の横幅も円弧面３３Ｂのみが強調されて狭く看取される。そして、前記アーム部３７，３９と化粧部材３３とに形成された側カット面３１Ａ，３２Ａ，３３Ａが連続して強烈な個性を主張するので、前記脚板部３０と、上支持部材３１及び下支持部材３２と、化粧部材３３とが異なる製法で作製して多少の色艶に相違があったとしてもそれらを凌駕し、意匠的な一体感を醸し出すのである。また、前記Ｌ形天板１及び矩形天板２の前縁下部に斜縁２９を形成し、また上支持部材３１の前カット面３１Ｃとが略直線上に位置するので、上方から見ると天板の厚さが薄く見え、側面視においても天板１，２とアーム部３７との一体感を生み、上支持部材３１を薄く見せることができるので、シャープな印象を与えることができるのである。
【００３０】
各部の詳細について説明する。先ず、前記Ｌ形天板１及び矩形天板２は、木質系の板体であり、下面には所定位置に前記螺孔２０，…を設けるために、オニメナットを埋設しており、また位置決めのための係合穴４０，…も形成している。しかし、天板の構造は何ら限定されるものではない。
【００３１】
次に、前記端部脚体３と中間部脚体４について説明する。前述のように端部脚体３と中間部脚体４の相違点は脚板部３０の形状のみである。前記脚板部３０は、図５に示すように、前方開放した平面視略コ字形の胴板４１と、該胴板４１の前縁部間に介在させる断面略コ字形の前補強部材４２と、該胴板４１の上下端部に介装する断面略コ字形の上補強部材４３及び下補強部材４４から構成されている。前記上補強部材４３と下補強部材４４とは同一部材で、更に左右対称形であり、前記上支持部材３１の固定部３６又は下支持部材３２の固定部３８を受け入れて固定するための断面略コ字形の装着部４５と、該装着部４５の後端で左右中央部から後方へ延びた横幅が狭い当止部４６とで構成されている。そして、前記上補強部材４３は凹溝を上方へ向け、前記下補強部材４４は凹溝を下方へ向け、前記装着部４５の両側片４７，４７を前記胴板４１の両側面板４１Ａ，４１Ａの内面に接合するとともに、前記当止部４６の後端を前記胴板４１の後面板４１Ｂの内面に当止した状態で、側片４７を側面板４１Ａにスポット溶接して固定し、また前記装着部４５及び当止部４６の底板４８には前記上支持部材３１の固定部３６又は下支持部材３２の固定部３８をボルト４９，…にて締結するための螺孔５０，…を形成している。ここで、前記当止部４６の横幅を狭くした理由は、前記端部脚体３に用いる胴板４１には内側の側面板４１Ａに縦ダクト３４が凹設され、前記中間部脚体４に用いる胴板４１には内外両側の側面板４１Ａ，４１Ａに縦ダクト３４，３４が凹設されて、内部空間の幅が異なるにも係わらず、両方に上補強部材４３及び下補強部材４４を共用できるようにしたためである。
【００３２】
また、図５〜図７に示すように、前記Ｔ字形金具１２又は十字形金具１３を取付ける位置には、前記端部脚体３に用いるものは前記胴板４１の内側の側面板４１Ａの上部に切欠部５１を形成し、前記中間部脚体４に用いるものは前記胴板４１の内外両側の側面板４１Ａ，４１Ａの上部に切欠部５１，５１を形成する。また、前記上補強部材４３の両側片４７，４７で、前記切欠部５１，５１に対応する位置に若干小さい切欠部５２，５２を形成している。そして、前記上支持部材３１の固定部３６には、上方へ開放した凹陥部５３を形成し、該凹陥部５３の底面部にはリブ状の支持台５４を設けるとともに、前記上補強部材４３に締結するためのボルト４９，…を挿通する通孔５５，…を形成し、該凹陥部５３を形成する両立壁５６，５６で、前記支持台５４の両側部に対応し、且つ前記上補強部材４３の両側片４７，４７に形成した前記切欠部５１，５１に対応する位置に、上方開放した係合凹部５７，５７を形成している。ここで、前記上支持部材３１の固定部３６を、前記脚板部３０の上補強部材４３に固定した状態では、前記端部脚体３にあっては該脚板部３０の一方の側面板４１Ａの上部で前記上補強部材４３の一方の切欠部５２及び前記上支持部材３１の一方の係合凹部５７が塞がれているのに対し、前記中間部脚体４にあっては左右両側とも該脚板部３０の側面板４１Ａの切欠部５１から上補強部材４３の切欠部５２及び上支持部材３１の係合凹部５７が出現している。
【００３３】
前記化粧部材３３は、図５に示すように、前記胴板４１の両側面板４１Ａ，４１Ａの前縁部間にスポット溶接にて固定した前補強部材４２を隠蔽するように取付ける。前記化粧部材３３の後面側の両側部に形成した係合溝５８，５８を、前記胴板４１の両側面板４１Ａ，４１Ａの前縁に係合するとともに、前記上支持部材３１の立下部３７Ａの下端に設けた突起５９と、前記下支持部材３２の立上部３９Ａの上端に設けた突起５９を、前記化粧部材３３の上下端に嵌合する。
【００３４】
前記コーナー脚体５は、図８〜図１０に示すように、板金加工で作製した筒状構造を有し、前端面に前記化粧部材３３を設けるとともに、後端は平面視においてそれぞれ左右に４５°傾いた傾斜後面板６０，６０を直交状態で設けている。
【００３５】
そして、図５、図１５及び図１６に示すように、前記端部脚体３と中間部脚体４の後面板４１Ｂの上部には、それぞれ上下一対となった係止具６１，６１を左右に２列、合計４個の係止具６１，…をネジ止めして突設している。この係止具６１は後面板４１Ｂに取付けた状態で上向きフックを構成する。また、前記コーナー脚体５の各傾斜後面板６０の上部にも一対の係止具６１，６１を上下に突設している。そして、前記幕板６の前面で両側部には、前記係止具６１，…に対応する位置に４つの係止孔６２，…を開口している。そして、前記幕板６の係止孔６２，…を対応する前記端部脚体３と中間部脚体４の後面板４１Ｂの係止具６１，…に上方から嵌合係止する。それから、押え金具６３を前記上支持部材３１の後端部にネジ６４で取付けると同時に、該押え金具６３の後端部の両側に形成した下向き爪６３Ａ，６３Ａを、前記幕板６の上端キャップ２１を取付けた部分のスチール板上端に形成した左右２つの係合段部６Ａ，６Ａに上方から係合して、当該幕板６の上動を規制し、前記係止孔６２から係止具６１が抜けるのを防止している。
【００３６】
ここで、前記端部脚体３に幕板６を連結する場合には、４つの前記係止具６１，…に幕板６の４つの係止孔６２，…を嵌合係止する。それに対して、前記中間部脚体４に幕板６，６を連結するには、図１６に示すように、正面視において、前記中間部脚体４の左列の上下係止具６１，６１に、左側の幕板６の外側列の係止孔６２，６２を嵌合係止し、該中間部脚体４の右列の上下係止具６１，６１に、右側の幕板６の外側列の係止孔６２，６２を嵌合係止する。つまり、前記幕板６の側端縁は、前記中間部脚体４の中心線に一致する。この場合、前記押え金具６３の左側の下向き爪６３Ａは、左側の幕板６の外側の係合段部６Ａに係合するとともに、右側の下向き爪６３Ａは、右側の幕板６の外側の係合段部６Ａに係合する。即ち、一つの押え金具６３で、両側の幕板６，６を、同時に押さえ込むのである。
【００３７】
また、前記係止具６１の上部に形成したフック部６１Ａの前面側、即ち前記後面板４１Ｂに面する側の中央部に上方へ連続した溝部６１Ｂを形成し、該係止具６１に前記幕板６の係止孔６２を嵌合係止した際に、該係止孔６２の上部に後方側、即ち幕板６の内部側にスチール板をプレス加工して形成した突出部６２Ａを溝部６１Ｂに受け入れて嵌合するようになっている。このように、前記突出部６２Ａと溝部６１Ｂの存在によって、装着状態における幕板６の左右方向のガタツキを無くするとともに、係止孔６２を形成したスチール板の変形を防止して上下方向の支持強度も高めている。
【００３８】
同様に、前記コーナー脚体５の傾斜後面板６０に突設した係止具６１，６１に、前記幕板６の上下の係止具６１，６１を嵌合係止する。前記コーナー脚体５に嵌合係止した前記幕板６の上動を規制する押え手段も適宜設ける。また、図１０に示すように、前記コーナー脚体５の両傾斜後面板６０，６０に取付けた両幕板６，６の端部間には、四角形の化粧支柱６４を配設している。
【００３９】
次に、図５〜図１４に基づいて、前記端部脚体３とコーナー脚体５との間、コーナー脚体５と中間部脚体４との間、端部脚体３と中間部脚体４との間に、前記ビーム９，…を連結する構造を説明する。前記Ｔ字形金具１２は、図５及び図６に示すように、平面視略Ｔ字形のアルミダイキャスト製のブロック体であり、一端部に前記端部脚体３の上支持部材３１に取付ける取付部６５と、該取付部６５から側方へ延びた連結部６６とからなる。前記取付部６５は、上支持部材３１の凹陥部５３内に嵌合し、前記支持台５４に載置した状態で、該取付部６５に上下貫設した取付孔６５Ａ，６５Ａに、上方からボルト６７，６７を通して、前記支持台５４に形成した螺孔６８，６８に螺合する。そして、前記連結部６６の基部は、前記上支持部材３１の係合凹部５７に嵌合するとともに、上補強部材４３の切欠部５２と脚板部３０の切欠部５１を通して当該端部脚体３の内方へ突出する。また、前記取付部６５の連結部６６を設けた側とは反対側に係合凸部６９を突設し、該係合凸部６９を前記上支持部材３１の他方の係合凹部５７に嵌合して連結強度を高めている。また、前記連結部６６には、螺孔７０と貫通孔７１の対をその長手方向に前記端部脚体３の横幅の半分だけずらせて二対設けている。一方、前記ビーム９は、前記Ｔ字形金具１２の連結部６６に外嵌する寸法のスチール製の角パイプであり、前記螺孔７０と貫通孔７１に対応させた一対の取付孔７２と貫通孔７３を形成している。ここで、前記取付孔７２は、前記ビーム９の上面のみに形成し、前記貫通孔７３は上下面に貫通するように形成している。
【００４０】
そして、前記Ｔ字形金具１２の連結部６６に前記ビーム９の一端部を外嵌した後、上方から前記取付孔７２を通したネジ７４を連結部６６の一方の螺孔７０に螺合する。ここで、一対の端部脚体３，３と、矩形天板２を用いて平デスクを構成する場合には、図１１及び図１２に示すように、前記ビーム９を前記Ｔ字形金具１２の連結部６６の奥端まで嵌合し、基端側の螺孔７０を利用してネジ７４を螺合する。この際に、前記ビーム９の貫通孔７３と前記連結部６６の基端側の貫通孔７１とが一致するので、両者に下方からネジ１９を通し、前記矩形天板２の下面に形成した螺孔２０に螺合する。また、前記Ｌ形天板１の端部に端部脚体３を設けた場合にも、前記Ｔ字形金具１２の連結部６６とビーム９との連結状態は同じである。この場合、前記端部脚体３の外側面と前記Ｌ形天板１又は矩形天板２の側縁とは同一面上になる。
【００４１】
尚、前記Ｌ形天板１又は矩形天板２の下面の螺孔２０，…の位置は変わらないので、前記ビーム９の位置も天板に対して固定的である。図１１は、独立した平デスクを左右に並べて設置した場合であるが、連設部分に二つの端部脚体３，３が重なって重々しくなる。そこで、本実施形態では、矩形天板２，２同士、又はＬ形天板１と矩形天板２の連設部分に一つの中間部脚体４を用いて互に一体となったデスク構成とするのである（図１３参照）。そのため、次に説明する中間部脚体４を用いる場合に横方向の寸法調節が必要になる。
【００４２】
前記中間部脚体４の両側にビーム９，９を連結するには、図７、図１３及び図１４に示すように、前記十字形金具１３を用いる。前記十字形金具１３は、平面視略十字形のアルミダイキャスト製のブロック体であり、中央部に前記端部脚体３の上支持部材３１に取付ける取付部７５と、該取付部７５から両側方へ延びた連結部７６，７６とからなる。ここで、前記取付部７５は、前記Ｔ字形金具１２の取付部６５と略同じ形状であり、また前記連結部７６も前記Ｔ字形金具１２の連結部６６と略同じ形状である。つまり、前記取付部７５は、上支持部材３１の凹陥部５３内に嵌合し、前記支持台５４に載置した状態で、該取付部７５に上下貫設した取付孔７５Ａ，７５Ａに、上方からボルト７７，７７を通して、前記支持台５４に形成した螺孔６８，６８に螺合する。そして、前記連結部７６、７６の基部は、前記上支持部材３１の両係合凹部５７，５７に嵌合するとともに、上補強部材４３の切欠部５２，５２と脚板部３０の切欠部５１，５１を通して当該端部脚体３の両側方へ突出する。また、前記連結部７６には、螺孔７８と貫通孔７９の対をその長手方向に前記端部脚体３の横幅の半分だけずらせて二対設けている。
【００４３】
そして、前記十字形金具１３の連結部７６，７６に前記ビーム９，９の一端部を浅く外嵌した後、上方から前記取付孔７２を通したネジ８０を連結部７６の先端側の螺孔７８に螺合する。そして、図１３に示すように、前記ビーム９の貫通孔７３は前記連結部７６の先端側の貫通孔７９と一致するので、両者に下方からネジ１９を通し、前記Ｌ形天板１と矩形天板２の下面に形成した螺孔２０に螺合する。この場合、前記中間部脚体４の中心線はＬ形天板１と矩形天板２の接合線に一致する。尚、矩形天板２，２同士の連結においても同様である。
【００４４】
また、図８〜図１０に示すように、前記コーナー脚体５の上端の前部に固定した受け金具１４は、アルミダイキャスト製のブロック体であり、前記コーナー脚体５の上端に取付ける固定部８１と、該固定部８１から前方へ延び、前記連結金具１５，１５を角度調節可能に連結する二方連結部８２と、前記固定部８１の両側に延びた翼部８３，８３とを有している。前記固定部８１は、ボルト８４，…にて前記コーナー脚体５の上端に固定する。前記二方連結部８２は、外周が円弧状となっており、円弧状の外周縁に沿って三つの孔が連続した多連孔８５，８５を上下貫通形成している。ここで、両多連孔８５，８５の接近した内側の孔部から離間した外側の孔部へ三対あり、それぞれ内側から外側へ順に９０°、１２０°、１３５°の角度に、前記連結金具１５，１５をボルト８６で連結できるようになっている。また、前記連結金具１５は、アルミダイキャスト製のブロック体であり、前記受け金具１４の二方連結部８２に連結する基部８７と、該基部８７から延びた連結部８８とからなり、該連結部８８には前記ビーム９を外嵌した際に、前記取付孔７２に対応する位置に螺孔８９、前記貫通孔７３に対応する位置に貫通孔９０を形成している。そして、下方から前記貫通孔７３と貫通孔９０にネジ１９を通し、Ｌ形天板１の螺孔２０に螺合する。
【００４５】
また、図６に示すように、前記端部脚体３の上支持部材３１の前部に凹段部９１を形成し、該凹段部９１に前記短連結板１６の一端部を嵌合し、該端部に形成した取付孔９２，９２に上方からネジ９３，９３を挿通し、前記凹段部９１に形成した螺孔９４，９４に螺合して取付ける。そして、前記短連結板１６の突出側端部に形成した通孔９５を通してネジ１９をＬ形天板１又は矩形天板２の螺孔２０に螺合する。一方、図７に示すように、前記中間部脚体４の上支持部材３１の凹段部９１に、前記長連結板１７の中央部を嵌合するとともに、該中央部に形成した取付孔９２，９２に上方からネジ９３，９３を挿通し、前記凹段部９１の螺孔９４，９４に螺合して取付ける。そして、前記長連結板１７の両突出端部に形成した通孔９５，９５を通してネジ１９，１９をＬ形天板１と矩形天板２の螺孔２０，２０にそれぞれ螺合する。尚、前記上支持部材３１の前端部には、上下に貫通した連結孔９６を形成してあり、前記端部脚体３では下方から固定ネジ９７を挿通してＬ形天板１又は矩形天板２の螺孔２０に螺合する。
【００４６】
このように、下方から複数箇所でネジ１９，…や固定ネジ９７をＬ形天板１と矩形天板２の複数の螺孔２０，…に位置を合わせて螺合する必要がある。この位置決めを容易にするために、前記Ｔ字形金具１２、十字形金具１３、受け金具１４、短連結板１６及び長連結板１７の上面にダボ９８，…を突設し、前記Ｌ形天板１と矩形天板２の下面の所定位置に予め形成しておいた前記係合穴４０，…に係合するようにしている。
【００４７】
このようにデスクの基本構成は完成するが、前記幕板６の背後に目隠しパネル７を取付けるには、図３、図１５及び図１７に示すように、前記幕板６の両側下端に前記受片２２，２２を取付け、また目隠しパネル７の前面両側部に前記係止金具２３，２３を取付けておき、該係止金具２３の下端の突片２６を、前記幕板６の下端後方に臨んだ前記受片２２の係合孔２５に落とし込むと同時に、前記係止金具２３の上端のフック片２７を、前記幕板６の両側上端に取付けた上端キャップ２１の傾斜面２４に載支し、該フック片２７に形成した通孔９９に上方から挿通した固定ネジ１００を前記傾斜面２４に形成した螺孔１０１に螺合して取付ける。ここで、前記係止金具２３のフック片２７が上端キャップ２１の傾斜面２４に載支したので、前記目隠しパネル７の自重によって前記幕板６の背面に接近するように作用するので、前記固定ネジ１００を螺孔１０１に螺合する前に前記目隠しパネル７から手を離してもその状態は維持されている。
【００４８】
また、図１５〜図１７に示すように、前記幕板６の両側上端部の上端キャップ２１と、前記係止金具２３の上端部と、前記押え金具６３と、更に前記上支持部材３１の後端部とを隠蔽するための化粧キャップ１０２を嵌着している。ここで、前記化粧キャップ１０２は、前記幕板６の外形に連続するキャップ本体１０２Ａと前記ダクト開口１０に延びた鍔部１０２Ｂを有し、下方に開放した形状であり、前記キャップ本体１０２Ａの後壁部１０２Ｃが、前記係止金具２３の上端を前方へ板厚分だけ段折りすることによって形成された隙間１０３に挿入される。尚、前記化粧キャップ１０２の保持は、キャップ本体１０２Ａの下端に突設した爪部１０２Ｄを前記上端キャップ２１の適所又は幕板６に形成した係合部に係合させる等で保持する。
【００４９】
次に、図１８〜図２６に基づいて、更に本発明を詳細に説明する。本発明において、第１部材は、前記端部脚体３又は中間部脚体４であり、取付面は前記脚板部３０の後面板４１Ｂである。一方、第２部材は前記幕板６であり、連結面は該幕板６の両側部前面６Ｂである。本発明の二部材の面接合連結装置は、前記端部脚体３又は中間部脚体４の後端に前記幕板６を着脱可能に連結するのに採用している。
【００５０】
つまり、本発明は、図１８及び図１９に示すように、端部脚体３（第１部材）の後面板４１Ｂ（取付面）に係止具６１を突設するとともに、少なくとも両側部前面６Ｂ（連結面）側が金属板から形成されている幕板６（第２部材）の該前面６Ｂ（連結面）に係止孔６２を形成し、前記係止具６１を係止孔６２に挿入して嵌合係止する二部材の面接合連結装置であって、前記係止具６１は後面板４１Ｂ（取付面）に取付ける基体６１Ｃから段差を設けてフック部６１Ａを一体形成するとともに、該フック部６１Ａの前記後面板４１Ｂ（取付面）側の幅方向中央部に先端へ連続開放した溝部を形成し、前記係止孔６２の孔縁部で前記フック部６１Ａが係止する部位に、前記側部前面６Ｂ（連結面）を構成する金属板を段押しして内方へ突出した突出部６２Ａを形成し、前記係止具６１のフック部６１Ａの溝部６１Ｂ内に前記突出部６２Ａを嵌合するのである。
【００５１】
更に詳しくは、前記係止具６１は、前記基体６１Ｃに取付孔６１Ｄを形成するとともに、該取付孔６１Ｄを挟んで前記フック部６１Ａと反対側の基体６１Ｃの端部に前記後面板４１Ｂ（取付面）側に突出した突起６１Ｅを形成したものであり、前記端部脚体３（第１部材）の後面板４１Ｂ（取付面）には前記係止具６１の取付孔６１Ｄに挿通したネジ１０４を螺合する螺孔４１Ｃ又は下穴を形成するとともに、前記突起６１Ｅを嵌入する係合穴４１Ｄを形成している。また、前記幕板６（第２部材）の係止孔６２は、前記係止具６１の基体６１Ｃを遊挿し得る開口部６２Ｂと、該開口部６２Ｂに連続して前記フック部６１Ａを受け入れるとともに、前記基体６１Ｃをスライドして密嵌する嵌合部６２Ｃとからなり、該嵌合部６２Ｃの奥端の孔縁部に、該嵌合部６２Ｃを臨む側に斜面を有する台形状の突出部６２Ａを形成している。
【００５２】
そして、前記端部脚体３（第１部材）の後面板４１Ｂ（取付面）と幕板６（第２部材）の側部前面６Ｂ（連結面）とが面接合した状態で、前記係止具と係止孔の係止状態を維持すべく、端部脚体３（第１部材）に対して幕板６（第２部材）の側部前面６Ｂ（連結面）に沿った方向の移動を規制する移動規制手段を備えている。本実施形態では、移動規制手段は、前記端部脚体３の上支持部材３１の後端部に前記押え金具６３をネジ６４で取付け、該押え金具６３の後端部の両側に形成した下向き爪６３Ａ，６３Ａを、前記幕板６の側部前面６Ｂの上端に形成した左右２つの係合段部６Ａ，６Ａに上方から係合するものである。ここで、前記係止具６１は金属材料で形成することが好ましいが、高強度の合成樹脂材料で成形することも可能である。
【００５３】
そして、前記幕板６の背面に前記目隠しパネル７を取付けるには、前記幕板６の両側下端に前記受片２２，２２を取付けておくが、それには図２０に示すようにする。前記受片２２の水平基板を、幕板６の両側下端面に取付ける下端キャップ１０５の上面中央部に形成した段部１０５Ａに嵌合した状態で、下方からネジ２２Ａを下端キャップ１０５と前記受片２２に貫通して幕板６の下端補強部に螺合する。ここで、もともと前記上端キャップ２１と下端キャップ１０５は、前記幕板６の両側部を折り返して作製することにより生じた上下端の切断縁を保護するものである。前記下端キャップ１０５の前後面には、前記受片２２を取付けないときに、それを取付けるための段部１０５Ａを隠すために、側面視略Ｌ字形のカバー１０６がリバーシブルに取付けることができるように、上下方向の係合溝１０５Ｂ，１０５Ｂが前後面側の両側にそれぞれ形成されている。そして、前記カバー１０６の垂直片の両側には前記係合溝１０５Ｂ，１０５Ｂに下方から係合できる係合縁１０６Ａ，１０６Ａを形成している。
【００５４】
更に、図２０〜図２３に示すように、前記目隠しパネル７の前面両側部に取付けた前記係止金具２３，２３に対応する前記幕板６の両側背面には、該係止金具２３の突片２６を前記受片２２の係合孔２５へ案内するカバー機能も兼ねた合成樹脂製のガイド部材１０７を装着している。前記ガイド部材１０７は、上下方向に長い略長方形状の部材であり、上端の両側部に前記上端キャップ２１の傾斜面２４の頂部に係止する爪片１０７Ａ，１０７Ａを形成するとともに、該爪片１０７Ａ，１０７Ａの間には前記係止金具２３のフック片２７を受け入れる開口部１０７Ｂを形成し、下端部には前記受片２２の水平基板を挿通し、係合する挿通部１０７Ｃを形成するとともに、両側部に前記下端キャップ１０５の係合溝１０５Ｂ，１０５Ｂに係止する係合爪１０７Ｄ，１０７Ｄを突設し、更に背面側には中央部に前記係止金具２３の突片２６をスライド案内する浅いガイド溝１０７Ｅを形成している。更に、前記ガイド部材１０７の背面側の上部両側と下端部両側に前記目隠しパネル７の前面に当接するスペーサー部１０７Ｆ，…を突設している。
【００５５】
また、図２４〜図２６は、前記押え金具６３と上端キャップ２１の傾斜面２４の両方の機能を備えた連結金具１０８を用いる実施形態を示している。前記連結金具１０８は、前記端部脚体３又は中間部脚体４の上支持部材３１の後端部上面に、ネジ１０９，１０９で取付ける基板部１０８Ａを有し、該基板部１０８Ａから後方へブロック状の左右二つの支持部１０８Ｂ，１０８Ｂが延設され、ぞれぞれの支持部１０８Ｂ，１０８Ｂの下面に前記幕板６の係合段部６Ａ，６Ａに係合する爪部１０８Ｃ，１０８Ｃが突設されているとともに、上面は前下がりの傾斜面１０８Ｄとなっている。また、両支持部１０８Ｂ，１０８Ｂの間には平面視略Ｔ字形の切込部１０８Ｅを形成している。そして、前記端部脚体３の後端に前記幕板６を取付けた後、前記連結金具１０８を上支持部材３１の後端部上面に取付けると同時に、前記幕板６の係合段部６Ａ，６Ａに爪部１０８Ｃ，１０８Ｃを係合して、該幕板６の上動を規制するのである。それから、前記目隠しパネル７の側部前面に取付けた前記係止金具２３の突片２６を幕板６の側部下端に取付けた前記受片２２の係合孔２５に落とし込むとともに、上端のフック片２７を前記連結金具１０８の傾斜面１０８Ｄ，１０８Ｄに係止し、前記フック片２７に形成した通孔９９，９９にネジ１００，１００を挿通し、傾斜面１０８Ｄ，１０８Ｄに形成した螺孔１０１，１０１に螺合する。
【００５６】
このように、前記幕板６に背面に係止金具２３を用いて目隠しパネル７を取付けた状態で、幕板６と目隠しパネル７との間には係止金具２３が存在するが、該係止金具２３は前記ガイド部材１０７で覆われた状態となっているので、真横から見ても目立たなくなっている。更に、他の目隠しパネル７を装着したデスクの背面側に、デスクを背面合わせに設置する場合、当該デスクには目隠しパネル７を装着せずに、他のデスクの目隠しパネル７を共用する場合、幕板６の背面両側部に前記ガイド部材１０７，１０７を装着しておけば、該ガイド部材１０７，１０７が他のデスクの目隠しパネル７の裏面に当接して、ガイド部材１０７のスペーサー部１０７Ｆ，…によって一定の目地部が形成され、あたかも当該デスクの幕板６の背後に目隠しパネル７が装着されているのと同じ外観となるのである。
【００５７】
また、前記中間部脚体４に、隣接する両幕板６，６の側端部を前述のようにそれぞれ上下一対の係止具６１，６１を用いて係止孔６２，６２を嵌合係止した後、前記連結金具１０８を上支持部材３１の後端部上面に取付けるとともに、爪部１０８Ｃをそれぞれの前記幕板６の端部側の係合段部６Ａに係合させて両幕板６，６を同時に上動を規制する。そして、それぞれの幕板６の背後に取付ける目隠しパネル７に装着した前記係止金具２３のフック片２７を、対応する側の支持部１０８Ｂの傾斜面１０８Ｄに係止し、ネジ止めするのである。ここで、前記幕板６の端部が側端面から内方へ平面視略Ｌ字形に折曲した構造である場合には、そのＬ字形の側縁を前記連結金具１０８の平面視略Ｔ字形の切込部１０８Ｅに係合させることにより、隣接する幕板６，６が離れる方向への保持が強固になる。
【００５８】
そして、前記目隠しパネル７の幕板６への取付けを、該目隠しパネル７の両側部前面に取付けた係止金具２３を用い、該係止金具２３の突片２６を幕板６の側部下端に取付けた前記受片２２の係合孔２５に落とし込むとともに、該係止金具２３の上端のフック片２７を、幕板６の両側上端部に取付けた上端キャップ２１の傾斜面２４に係止し、あるいは前記連結金具１０８の傾斜面１０８Ｄ，１０８Ｄに係止し、ネジ止めする構造としたので、隣接するデスクの目隠しパネル７，７の高さが異なる場合には、前記係止金具２３のフック片２７と傾斜面２４又は傾斜面１０８Ｄとの間に板状のスペーサーを適数枚介在させることによって簡単に高さの微調節ができるのである。その場合でも、前記目隠しパネル７の取付構造や強度、更には組立施工は全く変わらないのである。
【図面の簡単な説明】
【００５９】
【図１】本発明に係る組立式デスクの代表的構成例を示す全体斜視図である。
【図２】同じく端部脚体側から見た側面図である。
【図３】同じく縦断面図である。
【図４】端部脚体の形状を示す部分斜視図である。
【図５】端部脚体の構造と天板との関係を示す分解斜視図である。
【図６】端部脚体と天板との組立構造を示す分解斜視図である。
【図７】中間部脚体と天板との組立構造を示す分解斜視図である。
【図８】受け金具と連結金具を取付けた状態のコーナー脚体の側面図である。
【図９】同じくコーナー脚体の平面図である。
【図１０】Ｌ型デスクのコーナー部の構造を示す部分平面図である。
【図１１】平デスクを左右に並べて設置した状態の省略平面図である。
【図１２】平デスクを構成する場合のＴ字形金具とビームの連結形態を示し、（ａ）は一部省略平面図、（ｂ）は一部省略断面図である。
【図１３】Ｌ型デスクと平デスクを連設するデスク構成における中間部脚体、十字形金具及びビームとの関係を示す省略平面図である。
【図１４】十字形金具とビームの連結形態を示し、（ａ）は一部省略平面図、（ｂ）は一部省略断面図である。
【図１５】脚体の後端部に幕板と目隠しパネルを取付ける構造を示す分解断面図である。
【図１６】中間部脚体に幕板の取付ける構造を示す部分斜視図である。
【図１７】脚体の後端部に幕板と目隠しパネルを取付けた状態の部分断面図である。
【図１８】端部脚体の後端面に幕板を連結する構造を示す部分分解斜視図である。
【図１９】同じく端部脚体と幕板の連結構造を示す部分拡大斜視図である。
【図２０】幕板の背後に目隠しパネルを取付ける構造を示す分解斜視図である。
【図２１】同じく幕板に目隠しパネルを取付ける係止金具を取付けた状態を、幕板を省略して示した部分正面図である。
【図２２】同じく部分平面図である。
【図２３】同じく上部の部分拡大正面図である。
【図２４】端部脚体への幕板の取付構造と目隠しパネルの取付構造の他の実施形態を示す部分分解斜視図である。
【図２５】同じく部分縦断面図である。
【図２６】同じく幕板の背後に目隠しパネルを取付けた状態の拡大縦断面図である。
【符号の説明】
【００６０】
１  Ｌ形天板            ２  矩形天板
３  端部脚体            ４  中間部脚体
５  コーナー脚体        ６  幕板
７  目隠しパネル        ８  上キャビネット
９  ビーム              １０  ダクト開口
１１  支柱              １２  Ｔ字形金具
１３  十字形金具        １４  受け金具
１５  連結金具          １６  短連結板
１７  長連結板          １８  固定板
１９  ネジ              ２０  螺孔
２１  上端キャップ      ２２  受片
２３  係止金具          ２４  傾斜面
２５  係合孔            ２６  突片
２７  フック片          ２８  凹部
２９  斜縁              ３０  脚板部
３１  上支持部材        ３２  下支持部材
３３  化粧部材          ３４  縦ダクト
３５  ダクトカバー      ３６  固定部
３７  アーム部          ３８  固定部
３９  アーム部          ４０  係合穴
４１  胴板              ４１Ａ  側面板
４１Ｂ  後面板          ４２  前補強部材
４３  上補強部材        ４４  下補強部材
４５  装着部            ４６  当止部
４７  側片              ４８  底板
４９  ボルト            ５０  螺孔
５１  切欠部            ５２  切欠部
５３  凹陥部            ５４  支持台
５５  通孔              ５６  立壁
５７  係合凹部          ５８  係合溝
５９  突起              ６０  傾斜後面板
６１  係止具            ６１Ａ  フック部
６１Ｂ  溝部            ６１Ｃ  基体
６１Ｄ  取付孔          ６１Ｅ  突起
６２  係止孔            ６２Ａ  突出部
６２Ｂ  開口部          ６２Ｃ  嵌合部
６３  押え金具          ６４  化粧支柱
６３Ａ  下向き爪        ６Ａ  係合段部
６５  取付部            ６６  連結部
６７  ボルト            ６８  螺孔
６９  係合凸部          ７０  螺孔
７１  貫通孔            ７２  取付孔
７３  貫通孔            ７４  ネジ
７５  取付部            ７６  連結部
７７  ボルト            ７８  螺孔
７９  貫通孔            ８０  ネジ
８１  固定部            ８２  二方連結部
８３  翼部              ８４  ボルト
８５  多連孔            ８６  ボルト
８７  基部              ８８  連結部
８９  螺孔              ９０  貫通孔
９１  凹段部            ９２  取付孔
９３  ネジ              ９４  螺孔
９５  通孔              ９６  連結孔
９７  固定ネジ          ９８  ダボ
９９  通孔              １００  固定ネジ
１０１  螺孔            １０２  化粧キャップ
１０３  隙間            １０４  ネジ
１０５  下端キャップ    １０６  カバー
１０７  ガイド部材      １０７Ａ  爪片
１０７Ｂ  開口部        １０７Ｃ  挿通部
１０７Ｄ  係合爪        １０７Ｅ  ガイド溝
１０７Ｆ  スペーサー部  １０８  連結金具
１０９  ネジ
【図１】
0004760343.tif 000002
【図２】
0004760343.tif 000003
【図３】
0004760343.tif 000004
【図４】
0004760343.tif 000005
【図５】
0004760343.tif 000006
【図６】
0004760343.tif 000007
【図７】
0004760343.tif 000008
【図８】
0004760343.tif 000009
【図９】
0004760343.tif 000010
【図１０】
0004760343.tif 000011
【図１１】
0004760343.tif 000012
【図１２】
0004760343.tif 000013
【図１３】
0004760343.tif 000014
【図１４】
0004760343.tif 000015
【図１５】
0004760343.tif 000016
【図１６】
0004760343.tif 000017
【図１７】
0004760343.tif 000018
【図１８】
0004760343.tif 000019
【図１９】
0004760343.tif 000020
【図２０】
0004760343.tif 000021
【図２１】
0004760343.tif 000022
【図２２】
0004760343.tif 000023
【図２３】
0004760343.tif 000024
【図２４】
0004760343.tif 000025
【図２５】
0004760343.tif 000026
【図２６】
0004760343.tif 000027